(57)【要約】【課題】塗膜を、被転写面の端縁に沿って、容易に一直線に塗布することができるようにした塗膜転写具を提供する。【解決手段】ケース本体１内に収容した転写テープを、ケース本体１から突出させたヘッド部材２の転写ヘッド部５に向けて送出可能にするとともに、転写ヘッド部５を、転写テープと共に被転写面Ｐに押圧しながら、塗膜塗布方向に向けて摺動させることにより、転写テープを送出させつつ、被転写面Ｐに塗膜を転写し、かつ転写後の転写テープを、ケース本体１内に巻き取りうるようにした塗膜転写具において、使用時において、被転写面Ｐの端縁Ｐ１に係合し、かつ被転写面Ｐの端縁Ｐ１に沿ってヘッド部材２の転写ヘッド部５を塗膜塗布方向に案内しうるヘッド部案内手段６を設ける。【選択図】  図４
2008105194.tif 000002
【特許請求の範囲】
【請求項１】
ケース本体内に収容した転写テープを、前記ケース本体から突出させたヘッド部材の転写ヘッド部に向けて送出可能にするとともに、前記転写ヘッド部を、前記転写テープと共に被転写面に押圧しながら、塗膜塗布方向に向けて摺動させることにより、前記転写テープを送出させつつ、被転写面に塗膜を転写し、かつ転写後の転写テープを、ケース本体内に巻き取りうるようにした塗膜転写具において、
使用時において、被転写面の端縁に係合し、かつ被転写面の端縁に沿って、ヘッド部材の転写ヘッド部を塗膜塗布方向に案内しうるヘッド部案内手段を設けたことを特徴とする塗膜転写具。
【請求項２】
ヘッド部案内手段を、被転写面の端縁に突当て状態で係止し、かつ、被転写面の下側に向けて差込み係合しうる鉤形片をもって形成したことを特徴とする請求項１記載の塗膜転写具。
【請求項３】
ヘッド部案内手段を、ケース本体の下面に設けたことを特徴とする請求項１または２記載の塗膜転写具。
【請求項４】
ヘッド部案内手段を、ヘッド部材の下面に設けたことを特徴とする請求項１または２記載の塗膜転写具。
【請求項５】
ヘッド部案内手段を、ヘッド部材の転写ヘッド部を保護する保護キャップに設けたことを特徴とする請求項１または２記載の塗膜転写具。
【請求項６】
ヘッド部案内手段を、塗膜塗布方向と直交する方向に移動調整しうるようにしたことを特徴とする請求項１〜５のいずれかに記載の塗膜転写具。
【発明の詳細な説明】
【技術分野】
【０００１】
本発明は、転写テープにおける糊塗膜や修正用塗膜を被転写面に転写するのに用いられる塗膜転写具に関する。
【背景技術】
【０００２】
塗膜転写具は、ケース本体内に収容した転写テープを、ケース本体から突出させた転写ヘッドに向けて送出するとともに、転写ヘッドを、転写テープと共に被転写面に沿って押圧しながら、塗膜塗布方向に向けて摺動させることにより、転写テープを送出させつつ、被転写面に塗膜を転写し、転写後の転写テープを、ケース本体内に巻き取るようにしたものが公知である（例えば、特許文献１，２参照）。
【０００３】
しかし、特許文献１，２に記載のものは、ケース本体内に設けた供給リールおよび巻取リールが、被転写面に対して垂直方向に回転自在となっており、転写ヘッドを被転写面に押し付けながら、塗膜の塗布方向に沿う後方に向けて引く、所謂、縦引き型となっている。
そのため、転写ヘッドの動きが不安定となり易く、特に、封筒等を封ずるときに、糊塗膜を、封止片のような被転写面の端縁に限りなく近づけて、かつ一直線に塗布することは、困難であるという問題があった。
【特許文献１】特開２０００−２６０１４号公報
【特許文献２】特開２０００−３７９９１号公報
【発明の開示】
【発明が解決しようとする課題】
【０００４】
本発明は、従来の技術の有する上記の問題点に鑑み、塗膜を、被転写面の端縁に沿って、容易に一直線に塗布することができるようにした塗膜転写具を提供することを目的とする。
【課題を解決するための手段】
【０００５】
本発明によると、上記課題は次のようにして解決される。
（１）  ケース本体内に収容した転写テープを、前記ケース本体から突出させたヘッド部材の転写ヘッド部に向けて送出可能にするとともに、前記転写ヘッド部を、前記転写テープと共に被転写面に押圧しながら、塗膜塗布方向に向けて摺動させることにより、前記転写テープを送出させつつ、被転写面に塗膜を転写し、かつ転写後の転写テープを、ケース本体内に巻き取りうるようにした塗膜転写具において、使用時において、被転写面の端縁に係合し、かつ被転写面の端縁に沿ってヘッド部材の転写ヘッド部を塗膜塗布方向に案内しうるヘッド部案内手段を設ける。
【０００６】
（２）  上記（１）項において、ヘッド部案内手段を、被転写面の端縁に突当て状態で係止し、かつ被転写面の下側に向けて差込み係合しうる鉤形片をもって形成する。
【０００７】
（３）  上記（１）項または（２）項において、ヘッド部案内手段を、ケース本体の下面に設ける。
【０００８】
（４）  上記（１）項または（２）項において、ヘッド部案内手段を、ヘッド部材の下面に設ける。
【０００９】
（５）  上記（１）項または（２）項において、ヘッド部案内手段を、ヘッド部材の転写ヘッド部を保護する保護キャップに設ける。
【００１０】
（６）  上記（１）〜（５）項のいずれかにおいて、ヘッド部案内手段を、塗膜塗布方向と直交する方向に移動調整しうるようにする。
【発明の効果】
【００１１】
本発明によると、次のような効果が奏せられる。
請求項１記載の発明によると、使用時において、被転写面の端縁に係合し、かつ被転写面の端縁に沿って、転写ヘッド部を塗膜塗布方向に案内しうるヘッド部案内手段を設けてあるため、塗膜を、被転写面の端縁に近接させて、容易に一直線に塗布することができる
【００１２】
請求項２記載の発明によると、ヘッド部案内手段を、被転写面の端縁に突当て係止し、かつ被転写面の下側に向けて差込み係合しうる鉤形片をもって形成してあるため、簡易な構造をもって、転写ヘッド部を、被転写面の端縁に沿う塗膜塗布方向に、容易かつ円滑に案内することができる。
【００１３】
請求項３記載の発明によると、ヘッド部案内手段を、ケース本体の下面に設けてあるため、ケース本体をもって、ヘッド部材の転写ヘッド部を、被転写面の端縁に沿う塗膜塗布方向に、容易かつ円滑に案内することができる。
【００１４】
請求項４記載の発明によると、ヘッド部案内手段を、ヘッド部材の下面に設けてあるため、転写ヘッド部における被転写面の端縁に沿う塗膜塗布方向の案内を、ヘッド部材自体をもって行わせることができる。
【００１５】
請求項５記載の発明によると、ヘッド部案内手段を、ヘッド部材の転写ヘッド部を保護する保護キャップに設けてあるため、保護キャップをもって、転写ヘッド部を、被転写面の端縁に沿う塗膜塗布方向に、容易かつ円滑に案内することができる。
【００１６】
請求項６記載の発明によると、ヘッド部案内手段を、塗膜塗布方向と直交する方向に移動調整しうるようにしてあるため、特に、封筒を封ずるときに、糊塗膜を、封止片のような被転写面の端縁に限りなく近接させて塗布することができる。
【発明を実施するための最良の形態】
【００１７】
以下、本発明の実施形態を、添付図面を参照して説明する。
図１は、本発明の第１実施形態における塗膜転写具を、横置き状態にして示す斜視図、図２は、ケース本体とヘッド部案内手段との組付け状態を要部拡大して示す分解斜視図、図３は、同じく、ヘッド部案内手段の位置を移動調整した状態を示す斜視図、図４は、使用状態を示す斜視図である。なお、以下の説明では、図１における左上から右下に至る方向を「前後方向」、上から下に至る方向を「左右方向」、右上から左下に至る方向を「上下方向」として説明する。
【００１８】
本発明の塗膜転写具は、図１に示すように、ケース本体１と、このケース本体１の前端１ａから前方に向けて突出させたヘッド部材２と、このヘッド部材２を保護し、かつ軸３，３によりケース本体１の前端下面に前後方向に回転可能に軸支された保護キャップ４とを有している。
【００１９】
ヘッド部材２は、前端に突出させた箆状の転写ヘッド部５を備えており、使用時には、図１に示すように、保護キャップ４を、後方に向けてケース本体１の前端下面に位置するように回動させることにより、転写ヘッド部５を露出しうるようにしてある。
保護キャップ４は、不使用時には、図１に実線矢印で示すように、前方に向けて回動させることにより、ヘッド部材２の前面、下面および左右両側面を覆って（図１想像線参照）保護しうるようになっている。
【００２０】
本発明の塗膜転写具は、ケース本体１内に収容した転写テープ（図示省略）を、ヘッド部材２の転写ヘッド部５に向けて送出可能にするとともに、図４に示すように、転写ヘッド部５を、転写テープと共に紙面（被転写面）Ｐに押圧しながら、後方の塗膜塗布方向（図４に白抜き矢印で示す）に向けて摺動させることにより、転写テープを送出させつつ、紙面Ｐに塗膜を転写し、かつ転写後の転写テープを、ケース本体１内に巻き取りうるようにしてある。
【００２１】
図１に示すように、ケース本体１の下面には、ヘッド部案内手段６が設けられている。このヘッド部案内手段６は、図２に示すように、左右方向に延びる水平片部７ａと上下方向に延びる垂直片部７ｂとで形成された鉤形片７からなっている。この鉤形片７は、垂直片部７ｂの上端に形成した２枚の取付片７ｃ，７ｃを、ケース本体１の下面に開口した係止孔８に向けて差込み係止することにより取り付けられている。この係止孔８は、左右方向に延びる長孔形状をなし、その前後に対向する凹凸加工面からなる係止片８ａ，８ａの間に、鉤形片７の取付片７ｃ，７ｃを挟むようにして、係合（図２想像線参照）させることにより、鉤形片７を、左右方向に段階的に移動調整しうるようにしている（図３参照）。
【００２２】
ヘッド部案内手段６は、図４に示すように、鉤形片７の水平片部７ａを、紙面Ｐの下側に向けて差込み係合し、その垂直片部７ｂの内壁面に、紙面Ｐの端縁Ｐ１を突当て状態に係止させて、使用時に、ケース本体１を紙面Ｐの端縁Ｐ１に沿って一直線に摺動させることにより、ヘッド部材２の転写ヘッド部５を、紙面Ｐの端縁Ｐ１に沿う塗膜塗布方向に案内しうるようになっている。
【００２３】
図５は、本発明の第２実施形態における塗膜転写具を、横置き状態にして示す斜視図である。この第２実施形態では、上記第１実施形態と同様に、ヘッド部案内手段１０は、ケース本体９の下面に、固定状態で設けられているが、ヘッド部案内手段１０の左右方向への段階的な移動調整はできない。
【００２４】
図６は、本発明の第３実施形態における塗膜転写具を横置き状態にして示す斜視図である。この実施形態では、ヘッド部案内手段１３は、ケース本体１１の前端から突出するヘッド部材１２における右側部の下面にを設けられている。
【００２５】
図７は、本発明の第４実施形態における塗膜転写具を横置き状態にして示す斜視図である。この実施形態では、ヘッド部案内手段１８は、ケース本体１４の前端から突出するヘッド部材１５を保護する保護キャップ１６に設けられている。すなわち、保護キャップ１６を開いて、転写ヘッド部１７を露出状態としたときの保護キャップ１６の下面にヘッド部案内手段１８が取り付けられている。
【図面の簡単な説明】
【００２６】
【図１】本発明の第１実施形態における塗膜転写具を横置き状態にして示す斜視図である。
【図２】ケース本体とヘッド部案内手段との組付け状態を要部拡大して示す分解斜視図である。
【図３】同じく、ヘッド部案内手段の位置を移動調整した状態を示す斜視図である。
【図４】使用状態を示す斜視図である。
【図５】本発明の第２実施形態における塗膜転写具を横置き状態にして示す斜視図である。
【図６】本発明の第３実施形態における塗膜転写具を横置き状態にして示す斜視図である。
【図７】本発明の第４実施形態における塗膜転写具を横置き状態にして示す斜視図である。
【符号の説明】
【００２７】
１    ケース本体
１ａ  前端
２    ヘッド部材
３    軸
４    保護キャップ
５    転写ヘッド部
６    ヘッド部案内手段
７    鉤形片
７ａ  水平片部
７ｂ  垂直片部
７ｃ  取付片部
８    係止孔
９    ケース本体
１０  ヘッド部案内手段
１１  ケース本体
１２  ヘッド部材
１３  ヘッド部案内手段
１４  ケース本体
１５  ヘッド部材
１６  保護キャップ
１７  転写ヘッド部
１８  ヘッド部案内手段
Ｐ    被転写面
Ｐ１  端縁
【図１】
2008105194.tif 000003
【図２】
2008105194.tif 000004
【図３】
2008105194.tif 000005
【図４】
2008105194.tif 000006
【図５】
2008105194.tif 000007
【図６】
2008105194.tif 000008
【図７】
2008105194.tif 000009